(57)【要約】【課題】内部に薬剤を収納した薬剤保持体を所定の位置に位置決め保持し、常に、一定量の薬効成分を周囲の空間に付与できるようにする。【解決手段】内部に薬剤が収納された薬剤保持体１０を保持する薬剤容器１であって、薬剤保持体１０を保持する容器本体２を備える。容器本体２の少なくとも一箇所に薬剤保持部３を設ける。薬剤保持部３は、容器本体２に表裏面間を貫通し、一側が開口する四角形状の孔４を設け、この孔４の内周面の一部に係合溝５を設けたものである。薬剤保持部３内に薬剤保持体１０を挿入し、薬剤保持体１０の鍔部１３を係合溝５内に係合させ、この状態で、薬剤保持部３の開口部に蓋６を装着することにより、薬剤保持体１０が容器本体２の所定の位置に位置決め保持される。【選択図】      図１
2004261152.tif 000002
【特許請求の範囲】
【請求項１】
薬剤保持体を保持する薬剤容器であって、容器本体の少なくとも一箇所に表裏両面を貫通するとともに、一側に開口部を有し、かつ、内周面の少なくとも一部に係合溝を有する薬剤保持部を設け、該薬剤保持部内に前記薬剤保持体を位置して、該薬剤保持体の周縁部を前記係合溝内に係合させ、この状態で、前記開口部に蓋を装着して前記薬剤保持体を保持することを特徴とする薬剤容器。
【請求項２】
前記薬剤保持体は、膨出部と、該膨出部に一体に設けられる鍔部とを備え、該鍔部を前記係合溝内に係合させるように構成したことを特徴とする請求項１に記載の薬剤容器。
【請求項３】
前記薬剤保持体は、薬剤非浸透性部材からなるものであって、前記膨出部内に薬剤を含浸させた薬剤含浸体が収納されていることを特徴とする請求項１又は２に記載の薬剤容器。
【請求項４】
前記蓋にフックを設けたことを特徴とする請求項１から３の何れかに記載の薬剤容器。
【請求項５】
前記薬剤は、防虫剤、芳香剤、消臭剤、除湿剤、脱臭剤、防かび剤から選ばれる１種若しくは２種以上の組合せであることを特徴とする請求項１から４の何れかに記載の薬剤容器。
【請求項６】
前記薬剤保持体は、内部に収納される薬剤の残量を表示するインジケーター機能を備えていることを特徴とする請求項１から５の何れかに記載の薬剤容器。
【発明の詳細な説明】
【０００１】
【発明の属する技術分野】
本発明は、薬剤容器に関し、特に、洋服ダンス等に吊り下げて使用するタイプの薬剤容器に関するものである。
【０００２】
【従来の技術】
この種の薬剤容器の一例として、内部に薬剤の収納室が設けられるとともに、一側面に収納室内外を連通する薬剤の挿脱口が設けられ、表面（前面、後面、及び下面）の一部に収納室内外を連通する薬剤の揮散口が設けられる容器本体を有し、この容器本体の挿脱口から収納室内に板状の薬剤を挿脱可能に構成した薬剤容器が知られている（例えば、特許文献１参照。）。
【０００３】
また、薬剤容器の他の例として、直方体状をなすとともに、壁面に内外を貫通する揮散口が設けられる箱体と、箱体に着脱自在に取り付けられる吊り下げ手段とを備え、箱体の内部に薬剤が収納される複数の袋体を収納するように構成した薬剤容器が知られている（例えば、特許文献２参照。）。
【０００４】
【特許文献１】
実開平５−６７２６５号公報
【特許文献２】
実開平７−７４６０号公報
【０００５】
【発明が解決しようとする課題】
ところで、上記のような構成の薬剤容器のうち、前者は、容器本体の頂部に設けたフックを介して洋服ダンス等に吊り下げることにより、容器本体内の薬剤が揮散口を介して空気と接触して揮散し、洋服ダンス等の内部に薬効成分を漂わせることができるものである。
【０００６】
しかしながら、容器本体がデザインを重視した特殊な形状に形成されているため、その容器本体に専用の特殊な形状の薬剤を使用しなければならない。このため、薬剤の製造コストが高く付き、薬剤容器全体としての価格が高くなってしまう。また、薬剤の揮散性物質の残量を表示する機能を備えていないため、薬効が得られる期間を過ぎても使用を続けてしまう問題もある。さらに、使用する空間の大きさによって薬剤の量をフレキシブルに変更することができず、必要以上の薬効成分を空間に付与したり、十分な薬効成分を空間に付与できないことがある。
【０００７】
一方、後者は、吊り下げ手段を介して洋服ダンス等に吊り下げることにより、箱体内の各袋体の内部に収納されている薬剤が揮散口を介して空気と接触して揮散し、洋服ダンス等の内部に薬効成分を漂わせることができるものである。
【０００８】
しかしながら、箱体内の所定の位置に各袋体を保持する機能を備えていないため、袋体が箱体内の一箇所に片寄ってしまうことがあり、使用する空間の大きさによって薬剤の量をフレキシブルに変更することができず、必要以上の薬効成分を空間に付与したり、十分な薬効成分を空間に付与できないことがある。また、薬剤の揮散性物質の残量を表示する機能を備えていないため、薬効が得られる期間を過ぎても使用を続けてしまうことがある。
【０００９】
本発明は、上記のような従来の問題を解決したものであって、専用の特殊な形状の薬剤を使用する必要がなく、汎用性のある種々のタイプの薬剤を使用することができ、これにより薬剤のコストを低減させることができて、全体としての価格を安く抑えることができるとともに、薬剤の揮散性物質の残量を表示する機能を備えることにより、薬効が得られる期間を過ぎても使用を続けるようなことがなく、さらに、使用する空間の大きさによって薬剤の量をフレキシブルに変更することができて、常に、適量の薬効成分を空間に付与することができる薬剤容器を提供することを目的とするものである。
【００１０】
【課題を解決するための手段】
上記のような課題を解決するために、本発明の請求項１に係る薬剤容器は、薬剤保持体を保持する薬剤容器であって、容器本体の少なくとも一箇所に表裏両面を貫通するとともに、一側に開口部を有し、かつ、内周面の少なくとも一部に係合溝を有する薬剤保持部を設け、該薬剤保持部内に前記薬剤保持体を位置して、該薬剤保持体の周縁部を前記係合溝内に係合させ、この状態で、前記開口部に蓋を装着して前記薬剤保持体を保持する手段を採用している。
また、本発明の請求項２に係る薬剤容器は、請求項１に記載の薬剤容器において、前記薬剤保持体は、膨出部と、該膨出部に一体に設けられる鍔部とを備え、該鍔部を前記係合溝内に係合させるように構成した手段を採用している。
さらに、本発明の請求項３に係る薬剤容器は、請求項１又は２に記載の薬剤容器において、前記薬剤保持体は、薬剤非浸透性部材からなるものであって、前記膨出部内に薬剤を含浸させた薬剤含浸体が収納されている手段を採用している。
さらに、本発明の請求項４に係る薬剤容器は、請求項１から３の何れかに記載の薬剤容器において、前記蓋にフックを設けた手段を採用している。
さらに、本発明の請求項５に係る薬剤容器は、請求項１から４の何れかに記載の薬剤容器において、前記薬剤は、防虫剤、芳香剤、消臭剤、除湿剤、脱臭剤、防かび剤から選ばれる１種若しくは２種以上の組合せである手段を採用している。
さらに、本発明の請求項６に係る薬剤容器は、請求項１から５の何れかに記載の薬剤容器において、前記薬剤保持体は、内部に収納される薬剤の残量を表示するインジケーター機能を備えている手段を採用している。
【００１１】
【作用】
本発明は、前記のような手段を採用したことにより、容器本体の薬剤保持部内に開口部から薬剤保持体を挿入し、薬剤保持体の周縁部を薬剤保持部の係合溝内に係合させ、この状態で開口部に蓋を装着することにより、薬剤保持体が薬剤保持部に保持される。そして、この状態で薬剤保持体に空気が接触することにより、薬剤保持体内の薬剤が揮散し、周囲の空間に薬効成分が付与されることになる。
また、薬剤保持体は、内部に収納されている薬剤の残量を表示するインジケーターとして機能することになる。
【００１２】
【発明の実施の形態】
以下、図面に示す本発明の実施の形態について説明する。
図１〜図３には、本発明による薬剤容器の一実施の形態が示されていて、この薬剤容器１は、容器本体２と、蓋６と、容器本体２に保持される薬剤保持体１０とを備えている。
【００１３】
薬剤保持体１０は、可撓性を有する薬剤非浸透性部材（例えば、ポリエステル）から形成されるものであって、四角形状の突状の膨出部１１と、膨出部１１の周囲に一体に設けられる外方に突出する環状の鍔部１３とを備え、膨出部１１の頂部に薬剤を揮散させる揮散口１２が設けられている。
【００１４】
膨出部１１の内部には、薬剤を含浸させた含浸体（図示せず）が収納され、この含浸体を揮散口１２を介して空気と接触させることにより、含浸体に含浸されている薬剤が揮散して薬効成分が周囲の空間に付与されるようになっている。含浸体としては、紙、木、パルプ、レーヨン等の不織布が挙げられる。薬剤としては、防虫剤、芳香剤、消臭剤、防かび剤等が挙げられ、これらの１種類のみ若しくは２種類以上の薬剤を組み合わせて使用することも可能である。
【００１５】
薬剤保持体１０は、含浸体に含浸されている薬剤の揮散性物質の残量を表示するインジケーターとしても機能する。インジケーターは、従来公知のものを使用でき、例えば、特開昭６１−５６１０８号、特開昭６１−５６１０９号、特開昭６２−４２０６号、特開昭６２−１６３９６５号、特開昭６２−１７９６４０号、特開昭６２−２８１８０２号、特開昭６３−６０９０１号、特開昭６３−１０１３０１号、特開昭６４−７９２８４号等の公報に記載されているものを使用することができる。そして、揮散口１２を介して含浸体の色の変化等を目視することにより、薬剤の揮散性物質の残量を把握できる。
【００１６】
容器本体２は、合成樹脂等から形成される四角形板状をなすものであって、２箇所に薬剤保持部３が設けられ、各薬剤保持部３にそれぞれ前述した薬剤保持体１０が保持されるようになっている。
【００１７】
各薬剤保持部３は、容器本体２に、表裏面間を貫通するとともに、一側（上部）が開口する四角形状の孔４を設け、この孔４の内周面の少なくとも側面側に所定の幅、深さの係合溝５を設けたものであって、この係合溝５内に前述した薬剤保持体１０の鍔部１３の側部側を係合させるように構成したものである。
【００１８】
蓋６は、板状をなすものであって、容器本体２の開口部にねじ止め、嵌合、接着等の手段によって取り付けられ、容器本体２の薬剤保持部３の開口部を閉塞するようになっている。蓋６の頂部にはフック７が設けられ、このフック７を介して薬剤容器１を洋服ダンス内のハンガーロッド等の適宜の位置や、衣服のポケット等に吊り下げることができるようになっている。
【００１９】
そして、上記のように構成した容器本体２の各薬剤保持部３に薬剤保持体１０を挿入し、薬剤保持体１０の鍔部１３を係合溝５内に係合させ、薬剤保持部３の開口部に蓋６をねじ止め、嵌合、接着剤等の手段によって取り付けて開口部を閉塞し、薬剤保持体１０を各薬剤保持部３に保持する。この場合、一つの薬剤保持体１０を各薬剤保持部３に装着しても良いし、図示はしないが、二つの薬剤保持体１０の裏面（底面）を重ね合わせて各薬剤保持部３に装着しても良い。このようにして、この実施の形態による薬剤容器１が構成されるものである。
【００２０】
そして、上記のように構成した薬剤容器１をフック７を介して例えば洋服ダンス内のハンガーロッド等の適宜の位置に吊り下げると、容器本体２の各薬剤保持部３の表面側開口部及び裏面側開口部を介して洋服ダンス内の空気が薬剤保持体１０に接触し、薬剤保持体１０内に収納されている含浸体に含浸されている薬剤が揮散を開始し、薬効成分が洋服ダンス内に付与され、洋服ダンス内の防虫、芳香、防かび等が行われるものである。
【００２１】
上記のように構成したこの実施の形態による薬剤容器１にあっては、薬剤保持体１０は、容器本体２の各薬剤保持部３内に挿入し、鍔部１３を薬剤保持部３の係合溝５内に係合させ、この状態で薬剤保持部３の上端開口部に蓋６を装着することにより、容器本体２の所定の位置に位置決め保持されることになる。従って、洋服ダンス等に吊り下げた場合に薬剤保持体１０が装着位置からずれてしまって一箇所に片寄ってしまうようなことはなく、薬剤保持体１０を常に所定の位置に位置決めした状態で薬効成分を周囲の空間に付与することができるので、付与する薬効成分が多すぎたり、少なすぎたりするようなことはなく、常に適量の薬効成分を周囲の空間に付与することができることになる。また、使用される空間によって薬剤保持体の量を調節することができるので、付与する薬効成分が多すぎたり、少なすぎたりすることはなく、常に適量の薬効成分を周囲の空間に付与することができることになる。
【００２２】
また、薬剤保持体１０には、タンスの引き出し等にも使用することができる汎用タイプのものを使用することができるので、専用の特殊な形状の薬剤を使用する必要はなく、薬剤のコストを低減させることができることになる。従って、薬剤容器１全体としての価格を安く抑えることができる。
【００２３】
さらに、薬剤保持体１０は、含浸体に含浸させた薬剤の揮散性物質の残量を表示する機能を備えているので、含浸体の色の変化等を目視することにより、薬効が得られる期間が過ぎても使用を続けるようなことはないものである。
【００２４】
なお、前記の説明においては、容器本体の２箇所に薬剤保持部３を設けたが、１箇所又は３箇所以上に設けても良いものである。また、前記の説明においては、薬剤保持部３を構成する孔４の側部側に係合溝５を設けたが、底部側にも係合溝を設けて、その係合溝内に薬剤保持体１０の鍔部１３の下端部を係合させるようにしても良い。さらに、前記の説明においては、蓋６を容器本体２にねじ止め、接着等の手段によって取り付けるように構成したが、容器本体２の開口部に段部を設け、この段部内に蓋６の下面側に設けた突部を嵌合させるように構成しても良い。
【００２５】
また、前記の説明においては、薬剤保持体として、膨出部と鍔部とからなるものを挙げて説明したが、これに限定されることなく、板状の含浸体のみで薬剤保持体を構成しても良い。さらに、薬剤保持体の膨出部の底面側に蓋部を設けたが、膨出部の高さ方向の中間部に環状に張り出る鍔部を設け膨出部の上下面に揮散口を設けるように構成しても良い。なお、本実施の形態では、薬剤として防虫剤、芳香剤、消臭剤、防かび剤等の揮散性薬剤を揮散させるものについて説明したが、これらの薬剤に代えて除湿剤や脱臭剤などの空気中の湿気や悪臭を取り除く薬剤を使用しても良い。この場合、揮散口１２は、空気の吸入口として機能する。
【００２６】
【発明の効果】
本発明は、前記のように構成したことにより、薬剤保持体は、容器本体の薬剤保持部に位置した状態で、周縁部を薬剤保持部の係合溝内に係合させ、この状態で薬剤保持部の一側の開口部に蓋を装着することにより、容器本体の所定の位置に位置決め保持されることになる。従って、複数の薬剤保持体を保持する場合であっても、それらの薬剤保持体を所定の位置に確実に位置決め保持することができるので、複数の薬剤保持体が一箇所に片寄って薬効成分が必要以上に付与されたり、薬効成分が十分に付与されなかったりするようなことはなく、常に、適量の薬効成分を周囲の空間に付与することができることになる。
また、薬剤保持体は、周縁部を容器本体の薬剤保持部の係合溝内に係合させ、薬剤保持部の開口部に蓋を装着するだけで容器本体に装着することができるので、タンスの引き出しに置いて使用するような汎用タイプの薬剤保持体であっても使用することができることになる。従って、特殊な形状の薬剤保持体を使用する必要がないので、薬剤保持体のコストを低減させることができ、薬剤容器全体としてのコストを低減させることができることになる。
さらに、薬剤保持体は、内部に収納される薬剤の残量を表示するインジケーター機能を備えているので、薬剤保持体の状態を目視することにより、薬効成分が消失したままの状態で使用を続けるようなことはなくなる。
【図面の簡単な説明】
【図１】本発明による薬剤容器の一実施の形態の全体を示した斜視図であって、薬剤保持体を装着した状態を示した説明図である。
【図２】本発明による薬剤容器の一実施の形態の全体を示した斜視図であって、蓋を容器本体に取り付ける前の状態を示した説明図である。
【図３】本発明による薬剤容器の一実施の形態の一部を示した斜視図であって、容器本体を示した説明図である。
【符号の説明】
１……薬剤容器
２……容器本体
３……薬剤保持部
４……孔
５……係合溝
６……蓋
７……フック
１０……薬剤保持体
１１……膨出部
１２……揮散口
１３……鍔部
【図１】
2004261152.tif 000003
【図２】
2004261152.tif 000004
【図３】
2004261152.tif 000005